(57)【要約】【課題】体温計に求められる高い検温精度を実現し、かつ測定時間を短くし、検温したデータを正確に記録し、データとして保存する作業を瞬時に終了する。【解決手段】電波を受信するアンテナ２２と、アンテナ２２で受信した電波を整流することで自励発電する発電回路２７と、温度センサ２５と、ＲＦ部２１とを備えた温度測定送信装置に、電波を供給するアンテナ１８、ＲＦドライバ１６と、無線出力を受信するＲＦ受信回路１７と、液晶表示部１３を備えた温度測定受信装置とを組み合わせた温度測定送受信装置となる。【選択図】図１
2005106555.tif 000002
【特許請求の範囲】
【請求項１】
電波を受信するアンテナと、アンテナで受信した電波を整流することで自励発電する発電回路と、温度変化により抵抗値が変化する温度センサと、前記発電回路から電源電圧を供給され、前記温度センサからの温度情報を無線出力する無線出力回路とを備えたことを特徴とする温度測定送信装置と、
前記温度測定送信装置に対して電波を供給する電波供給回路と、前記温度測定送信装置からの前記無線出力を受信する受信回路と、該受信回路からの温度情報を表示する表示部を備えたことを特徴とする温度測定受信装置とを組み合わせたことを特徴とする温度測定送受信装置。
【請求項２】
請求項１の温度測定送受信装置において、
前記温度センサからのアナログ信号をデジタル信号に変換するＡ／Ｄコンバータを持ち、デジタル信号で温度情報を無線出力することを特徴とする温度測定送受信装置。
【請求項３】
電源となる電池と、温度変化により抵抗値が変化する温度センサと、前記電池から電源電圧を供給され、前記温度センサからの温度情報を無線出力する無線出力回路とを備えたことを特徴とする温度測定送信装置と、
前記温度測定送信装置からの前記無線出力を受信する受信回路と、該受信回路からの温度情報を表示する表示部を備えたことを特徴とする温度測定受信装置とを組み合わせたことを特徴とする温度測定送受信装置。
【請求項４】
請求項３の温度測定送受信装置において、
前記温度センサからのアナログ信号をデジタル信号に変換するＡ／Ｄコンバータを持ち、デジタル信号で温度情報を無線出力することを特徴とする温度測定送受信装置。
【請求項５】
前記温度測定送信装置は、メモリを備え、自身の識別コードを前記メモリに記憶し、自身の識別コードを前記温度情報に合わせて、無線出力することを特徴とする請求項１又は、請求項３の温度測定送受信装置。
【請求項６】
前記温度測定送信装置は、メモリを備え、自身の識別コードを前記メモリに記憶し、自身の識別コードを前記温度情報に合わせて、無線出力し、前記メモリは書き換え可能であることを特徴とする請求項１又は、請求項３の温度測定送受信装置。
【請求項７】
前記温度測受信装置は、受信した前記温度情報を識別して、その結果がある温度以上の時は、放音する放音装置を備えたことを特徴とする請求項１又は、請求項３の温度測定送受信装置。
【請求項８】
前記温度測受信装置は、メモリを装備し、前記温度情報を前記メモリに記憶したことを特徴とする請求項１又は、請求項３の温度測定送受信装置。
【請求項９】
前記温度測受信装置は、メモリを装備し、前記温度情報を前記メモリに記憶し、前記メモリは書き換え可能であることを特徴とする請求項１又は、請求項３の温度測定送受信装置。
【請求項１０】
前記温度測受信装置は、前記メモリに記憶された前記温度情報を、外部インターフェイスにより、パーソナルコンピュータに送信することを特徴とする請求項１又は、請求項３の温度測定送受信装置。
【発明の詳細な説明】
【技術分野】
【０００１】
本発明は、被測温者の体温測定を正確かつ容易に行い、測温者の負荷を軽減可能な温度測定送受信装置に関する。
【背景技術】
【０００２】
生命の維持に直結する体温、心拍、呼吸、血圧などは、特に総称して生命徴候（バイタルサイン）と呼ばれ、生命徴候が一定の値（正常値）で安定していれば、生命の制御がうまく働いていると見なされ、逆に不安定ならば、正常な健康状態でないことが分かる。従って、病院では、日常的に入院患者の体温を測定する必要性がある。
【０００３】
水銀式又は、電子式体温計のいずれかを使用して、予め決められた時間に看護士が巡回し、入院患者に体温計を配布し、入院患者自らがわきの下に密着し、一定時間後に看護士が巡回して各入院患者から体温計を回収し、測温結果を読み取り、記録簿に記入していく。更に、入院患者のすべて回った後、回収した体温計をすべて消毒し、前期記録簿に記入した測温結果をパソコンにインプットして行く必要がある。
【特許文献１】特開平１１−１１３８５６号公報
【特許文献２】特表２００２−５１２８２９号公報
【発明の開示】
【発明が解決しようとする課題】
【０００４】
しかしながら、上記背景技術には以下のような問題が発生した。
【０００５】
ほとんどの病院では、入院患者の健康状態を逐一確認するため、朝、昼、晩の１日に３回検温する。通常、入院患者全員に体温測定を行い、温度データをとり、それを記録する。
【０００６】
体温に用いられる水銀式は、検温に非常に多くの時間を費やす必要があり、又、電子式体温計は検温時間の短縮のため、予測型が主流であり、最終的に安定する平衡温を推測するため、肌に密着させないと誤差の影響が大きい。
【０００７】
記録する作業は、氏名、体温、日時（時間）の順で、記録用紙に、鉛筆などを使用して、患者全員のデータを正確に記録しなくてはいけない。検温する作業に、この記録する作業が同時に加わり、測温者の看護士にとって、煩雑な作業となっている。また、同時に被測温者の入院患者にとっても、負荷のかかる作業になっている。
【０００８】
測温作業以外にも記録する作業として、患者毎に、１日３回記録した体温について、履歴として電気的なデータとしてパソコン保存したり、時間的な体温の変化をグラフ表示させたりするためには、看護士が測温データをキーボード入力する必要があり、時間がかかる作業であり、看護士の負荷を増加させる。
【課題を解決するための手段】
【０００９】
本発明は、以上のような問題に鑑みて成されたものであり、電波を受信するアンテナと、アンテナで受信した電波を整流することで自励発電する発電回路と、温度変化により抵抗値が変化する温度センサと、無線出力する回路とを備えた温度測定送信装置及び、電波を受けることで自励発電する発電回路に電波を供給する電波供給回路と、無線出力された送信信号から、温度信号（データ）を受信する受信回路を備えた温度測定受信装置とを組み合わせたことを特徴としている。
【発明の効果】
【００１０】
上述の如く、本発明によれば、電波を受信するアンテナと、アンテナで受信した電波を整流することで自励発電する発電回路と、温度変化により抵抗値が変化する温度センサと、前記発電回路から電源電圧を供給され、前記温度センサからの温度情報を無線出力する無線出力回路とを備えたことを特徴とする温度測定送信装置と、
前記温度測定送信装置に対して電波を供給する電波供給回路と、前記温度測定送信装置からの前記無線出力を受信する受信回路と、該受信回路からの温度情報を表示する表示部を備えたことを特徴とする温度測定受信装置とを組み合わせたことで、身体との密着性を高め、常に検温を正確かつ、短時間で測定でき、無線送信することを可能にし、検温したデータを無線受信することを可能にし、検温したデータを正確に記録し、保存する作業が瞬時に終了し、検温の記録する作業負荷を軽減することが可能になる。
【発明を実施するための最良の形態】
【００１１】
以下、図面を参照して、本発明の実施形態について、説明する。
【００１２】
図１は、図２のリーダ２及び、粘着パッド１に内蔵されたＩＣチップ６の詳細を示すブロック図である。
【００１３】
リーダ２において、１０はリーダの制御を行う中央演算装置（以下ＣＰＵと言う）、１１はパソコン４とデータをやり取りする外部インターフェイス（以下、外部Ｉ／Ｆと言う）、１２はリーダの操作スイッチ、１３はリーダの液晶表示部、１４はシステムＣＬＫおよび時計機能に用いられる発振子、１５は受信したデータを一時保存するメモリ、１６は共振回路を含むＲＦドライバ、１７はＲＦ受信回路、１８はアンテナである。
【００１４】
また、粘着パッド１に内蔵されたＩＣチップ６において、２０は制御を行うＣＰＵ、２１はＲＦ部、２２はアンテナ、２３は識別ＩＤコードおよび、プログラムが収納されたＥＥＰＲＯＭ、２４はＡＤコンバータ（以下Ａ／Ｄと言う）、２５はサーミスタ抵抗からなる温度センサ、２６はＥＥＰＲＯＭ２３内に記憶された識別ＩＤコードを書き換える外部Ｉ／Ｆ、２７はアンテナ２２で受けた電波を整流することで電源電圧を発電する機能を備える発電回路である。
【００１５】
図２、本発明の実施形態を示すシステム図であり、１は人の表皮に張られる粘着パッド、２はＩＣチップからデータを読み取り保管するリーダ、３はパソコンとデータ通信を行う充電機能付きのソケット、４はシステム全体の制御を司るパーソナルコンピュータ（以下、パソコンと言う）、５はソケット３とパソコン４を接続するケーブル、６は粘着パッドに含まれるＩＣチップである。
【００１６】
図１は実施例の詳細を示すブロック図であり、ソケット３から、リーダ２を取り出し、測温者の近くで、操作スイッチ１２をオンすることで、リーダ２のアンテナ１８から１０ｍＷ程度の微弱無線を出力し、人の表皮に張られた粘着パッド１は、このＲＦキャリアを受信し、前記ＲＦキャリアを整流し、電源電圧ＶＤＤを自励発電する。粘着パッド１には、前記ＶＤＤにより駆動することが出来るＩＣチップ６を内蔵しており、ＩＣチップ内の温度センサにより、被測温者の体温を測定する。
【００１７】
なお、実施例では、電波を受けることで自励発電する発電回路を装備しているが、代わりに、電池を内蔵しても良い。
【００１８】
測定した被測温者の体温データと前記ＩＣチップ内のＥＥＰＲＯＭに記録された被測温者識別データを合わせて、前記ＩＣチップ内のＲＦ部を通じて、アンテナから、前記の被測温者識別データおよび、被測温者の体温データを無線出力する。
【００１９】
前記無線出力を受信する手段を備える前記リーダにおいて、前記無線出力を受信し、無線データをデジタルデータに変換し、前記デジタルデータに変換された体温データに、更に時間データを付加し、前記リーダ内の記録手段であるメモリに記録される。
【００２０】
前記体温データを識別して、その結果がある温度以上の時は、アラームを鳴らし、注意を喚起しても良い。
【００２１】
前記のメモリに記録された体温データ及び時間データは、ソケットに接続されたケーブルを用いて、パソコンに送信され、パソコン内に装備されているハードディスクに保管され、一連の測定、記録、保管の作業は終了する。
【００２２】
温度センサ２５は、粘着パッド内で肌に密着されており、通常の予測型と異なり、長時間、肌に密着している。推測する時間も必要とせずに、本当の体温を測定することが出来る。従って、測定による誤差が少ない。
【００２３】
以下、図１の動作を図３のフローチャートに基づき説明する。
【００２４】
まず、リーダ２の操作スイッチ１２を粘着パッド１の近くでＯＮし、リーダ２のＲＦドライバ１６において発生した共振波形をアンテナ１８より、１０ｍＷ程度の微弱無線を出力する（ステップＳ１）。
【００２５】
一方、微弱無線の出力を受けたＩＣチップ６のＲＦ部ではキャリアを整流して電源電圧ＶＤＤを自励発電し、自励発電されたＶＤＤをＩＣチップ６全体に供給する（ステップＳ２）。
【００２６】
温度センサ２５は人の体温によって敏感に変化するサーミスタからなり、サーミスタの抵抗値を電圧変換しＡ／Ｄ２４に送り、Ａ／Ｄ２４はアナログ値である電圧レベルをデジタル値に変換し、前期のデジタル値をＣＰＵ２０へ出力する（ステップＳ３）。
【００２７】
ＣＰＵ２０は、前記デジタル値のデータを得て、ＣＰＵ２０のレジスタに一時保持し、ＣＰＵ２０は、前記の内部レジスタに一時保持したデータおよび、予め用意されているＥＥＰＲＯＭ内にある識別ＩＤコードを付けて、ＲＦ部２１へデジタルデータを出力する（ステップＳ４）。
【００２８】
ＲＦ部２１は、前期デジタルデータを無線データに変換し、アンテナ２２より無線出力する。（ステップＳ５）
引き続き、リーダ２は、アンテナ１８を通じてＲＦ受信回路１７において、ＩＣチップ６からのデータを受信し、ＲＦ受信回路１７は、データをデジタル値に変換し、ＣＰＵ１０へ出力する（ステップＳ６）。
【００２９】
ＣＰＵ１０では、前記のデジタル値に、現在の時刻情報を付加し、メモリ１５に保存する（ステップＳ７）。
【００３０】
これで被測温者１人の検温から記録が終了し、非測温者が全て終了したか否かが判定される（ステップＳ８）。
【００３１】
すべての被測温者の検温が終了した場合には、測温作業は終了とし、終了していない場合には、Ｓ１に戻り、次の被測温者の測定を行い、残りの被測温者の人数分Ｓ１〜Ｓ８を繰り返すことになる。
【００３２】
図４は、図２のリーダ２とパソコン４の詳細を示すブロック図であり、１０〜１８は、図２と同一の回路については、同一符合を付し、説明を省略する。３０はオペレーションシステム（以下、ＯＳと言う）を実行することが出来るＣＰＵ、３１はアプリケーションのソフトおよび、リーダ１からのデータを保存するハードディスク（以下ＨＤＤと言う）、３２は内部バスに接続可能な例えば、ＵＳＢポートのような外部Ｉ／Ｆ、３３はＬＣＤコントローラ、３４は液晶モニタ、３５はシリアルＩ／Ｆ、３６はシリアルＩ／Ｆ３５に接続されるキーボード、３７はシリアルＩ／Ｆ、３８はシリアルＩ／Ｆ３７に接続されるマウスである。
【００３３】
すべての被測温者の測定が終了すると、リーダ２をソケット３に入れ、リーダ２では、外部Ｉ／Ｆ１１よりメモリ１５に保存されたデータを送信し、前記の保存されたデータは、ケーブル５を通じてパソコン４へ転送され、前記パソコン４はデータを外部Ｉ／Ｆ３２で受信し、ＨＤＤ３１に送られ、ＨＤＤ３１において、記録されたデータ（被測温者の識別ＩＤデータ、体温データ、測定日時データ）は保存される。
【００３４】
また、実施例では、ケーブルによる有線通信の例を示したが、無線通信により、パソコン４に転送しても良い。
【００３５】
図５は、前期ＨＤＤ３１に記録されたデータであり、被測温者毎に、識別ＩＤデータ、体温データ、測定日時データの順で保存され、データベースとなっている。
【００３６】
さらに、ＣＰＵ３０で動作するアプリケーションソフトを用いて、前期データベースに保存されたデータを活用することができる。
【００３７】
例えば、図６は、前期データベースを有効に活用の一例であり、個人毎に過去の履歴を、１日間、３日間、１週間などの単位でグラフ表示することで、患者の状態の把握するのに役立てることが出来、測定したデータの有効活用が出来る。
【００３８】
図７は、本発明の他の実施形態を示す構成図であり、図７の実施形態において、図１と異なる点は、図７において、ＩＣチップ内蔵の粘着パッド１内のＥＥＰＲＯＭ２３を書き換える識別ＩＤ書き換えテーブル７および、パソコン４と識別ＩＤ書き換えテーブル７を接続するケーブル８を設けた点である。図２と同一の回路ついては、同一符合を付し、説明を省略する。
【００３９】
パソコン４と識別ＩＤ書き換えテーブル７は、ケーブル８によって接続され、パソコン４を用いて、ＩＣチップ１内のＥＥＰＲＯＭ２３を容易に書き換えることが出きる。
【００４０】
識別ＩＤ書き換えテーブル７には、粘着パッド内のＥＥＰＲＯＭ２３を書き換えるために、接続される端子を持ち、前記の端子を用いて、前記ＥＥＰＲＯＭ２３の内容を書き換えることが可能になる。
【００４１】
図８は、図７の図２のリーダ２とパソコン４と識別ＩＤ書き換えテーブル７の詳細を示すブロック図であり、図２と同一の回路ついては、同一符合を付し、説明を省略する。
【００４２】
粘着パッド１において追加された点は、ＥＥＰＲＯＭ２３を書き換え可能にする外部Ｉ／Ｆ２６を追加したことであり、パソコン４において追加された点は、外部Ｉ／Ｆ３９を追加し、粘着パッド１とデータ通信を可能にしたことである。
【図面の簡単な説明】
【００４３】
【図１】本発明の温度測定送受信装置を示すブロック図である。
【図２】本発明の温度測定送受信装置を示すシステム図である。
【図３】本発明の実施形態を示すフローチャートである。
【図４】本発明の実施形態を示すブロック図である。
【図５】本発明の実施形態において、記録されたデータの一例を示す図である。
【図６】本発明の実施形態において、アプリケーションの一例を示す図である。
【図７】本発明の他の実施形態を示すのシステム図である。
【図８】本発明の他の実施形態を示すブロック図である。
【符号の説明】
【００４４】
１  粘着パッド、  ２  リーダ、  ３  ソケット、  ４  パソコン、  ５  ケーブル、  ６  ＩＣチップ、  ７  識別ＩＤコード書き換えテーブル、  ８  ケーブル。
【図１】
2005106555.tif 000003
【図２】
2005106555.tif 000004
【図３】
2005106555.tif 000005
【図４】
2005106555.tif 000006
【図５】
2005106555.tif 000007
【図６】
2005106555.tif 000008
【図７】
2005106555.tif 000009
【図８】
2005106555.tif 000010